(57)【要約】  本開示の一態様に係るユーザ端末は、マスター情報ブロック（ＭＩＢ）内のインデックスに基づいて設定されるシステム情報ブロック（ＳＩＢ）１用のサーチスペースの周期を少なくとも設定可能に構成される、共通サーチスペースに関する情報を受信する受信部と、前記共通サーチスペースに関する情報に基づいて設定される前記共通サーチスペースにおける下り制御情報の監視を制御する制御部と、を具備する。
2019215872.tif 000002
【特許請求の範囲】
【請求項１】
マスター情報ブロック（ＭＩＢ）内のインデックスに基づいて設定されるシステム情報ブロック（ＳＩＢ）１用のサーチスペースの周期を少なくとも設定可能に構成される、共通サーチスペースに関する情報を受信する受信部と、
前記共通サーチスペースに関する情報に基づいて設定される前記共通サーチスペースにおける下り制御情報の監視を制御する制御部と、
を具備することを特徴とするユーザ端末。
【請求項２】
前記共通サーチスペースに関する情報は、前記ＭＩＢ内のインデックスに基づいて設定される前記ＳＩＢ１用のサーチスペースの周期を少なくとも設定可能に構成される周期情報を含み、
前記制御部は、前記周期情報が示す周期で、前記共通サーチスペースを設定することを特徴とする請求項１に記載のユーザ端末。
【請求項３】
前記制御部は、前記周期で設定される前記共通サーチスペースの全てにおいて、同期信号ブロックのインデックスに関係なく、前記下り制御情報を監視することを特徴とする請求項２に記載のユーザ端末。
【請求項４】
前記制御部は、前記周期で設定される前記共通サーチスペースのうち、特定の同期信号ブロックのインデックスに対応する共通サーチスペースにおいて、前記下り制御情報を監視することを特徴とする請求項２又は請求項３に記載のユーザ端末。
【請求項５】
前記共通サーチスペースに関する情報は、前記ＭＩＢ内のインデックスと同一又は一部のビット数で構成されるインデックスであり、
前記制御部は、該インデックスに基づいて設定される周期で、前記共通サーチスペースを設定することを特徴とする請求項１から請求項４のいずれかに記載のユーザ端末。
【請求項６】
マスター情報ブロック（ＭＩＢ）内のインデックスに基づいて設定されるシステム情報ブロック（ＳＩＢ）１用のサーチスペースの周期を少なくとも設定可能に構成される、共通サーチスペースに関する情報を送信する送信部と、
前記共通サーチスペースに関する情報に基づいて設定される前記共通サーチスペースにおける下り制御情報の送信を制御する制御部と、
を具備することを特徴とする無線基地局。
【発明の詳細な説明】
【技術分野】
【０００１】
本開示は、次世代移動通信システムにおけるユーザ端末及び無線基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、無線基地局（例えば、ｅＮＢ（eNode  B））は、物理レイヤの制御信号（例えば、下り制御情報（ＤＣＩ：Downlink  Control  Information））を、制御チャネル（例えば、ＰＤＣＣＨ（Physical  Downlink  Control  Channel））を用いてユーザ端末（ＵＥ：User  Equipment）に送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ、５Ｇ、５Ｇ＋、Ｒｅｌ．１５以降）では、システム情報ブロック（ＳＩＢ：System  Information  Block）１用のサーチスペースを、マスター情報ブロック（ＭＩＢ：Master  Information  Block）内のインデックス（pdcch-ConfigSIB1、RMSI-PDCCH-Config等ともいう）に基づいて設定することが検討されている。【０００７】
また、当該将来の無線通信システムでは、上記ＳＩＢ１用のサーチスペース、ＯＳＩ（Other  System  Information）用のサーチスペース、ページング用のサーチスペー及び、ランダムアクセス用のサーチスペースの少なくとも一つである共通サーチスペース（ＣＳＳ：Common  Search  Space）を、ＲＲＣ（Radio  Resource  Control）シグナリングされる下り制御チャネル（例えば、ＰＤＣＣＨ：Physical  Downlink  Control  Channel）に関する情報（PDCCH-ConfigCommon）に基づいて設定することも想定される。【０００８】
しかしながら、PDCCH-ConfigCommonに基づいて設定される共通サーチスペースについては、ＭＩＢ内のインデックスに基づいて設定可能なＳＩＢ１用のサーチスペースのパターン（例えば、周期、オフセット及びタイミングの少なくとも一つ）をサポートできない恐れがある。この結果、ユーザ端末が、当該共通サーチスペースにおける下り制御情報（ＤＣＩ：Downlink  Control  Information）の監視（monitoring）を適切に行うことができない恐れがある。【０００９】
本発明はかかる点に鑑みてなされたものであり、共通サーチスペースの設定及び当該共通サーチスペースにおけるＤＣＩの監視の少なくとも一つを適切に制御可能なユーザ端末及び無線基地局を提供することを目的の一つとする。
【課題を解決するための手段】
【００１０】
本開示の一態様に係るユーザ端末は、マスター情報ブロック（ＭＩＢ）内のインデックスに基づいて設定されるシステム情報ブロック（ＳＩＢ）１用のサーチスペースの周期を少なくとも設定可能に構成される、共通サーチスペースに関する情報を受信する受信部と、前記共通サーチスペースに関する情報に基づいて設定される前記共通サーチスペースにおける下り制御情報の監視を制御する制御部と、を具備することを特徴とする。
【発明の効果】
【００１１】
本開示の一態様によれば、共通サーチスペースの設定及び当該共通サーチスペースにおけるＤＣＩの監視の少なくとも一つを適切に制御できる。
【図面の簡単な説明】
【００１２】
【図１】図１は、ＭＩＢ内のインデックスに基づくＳＩＢ１用ＳＳの時間位置の決定の一例を示す図である。
【図２】図２Ａ及び２Ｂは、ＳＳＢに対するＳＩＢ１用ＳＳの時間位置のオフセットの一例を示す図である。
【図３】図３は、PDCCH-ConfigCommonの一例を示す図である。
【図４】図４は、第１の態様に係るSearchSpace  IEの一例を示す図である。
【図５】図５Ａ〜５Ｃは、第１の態様に係るＳＳＢとＣＳＳとのマッピング関係の第１及び第２の制御の一例を示す図である。
【図６】図６は、第１の態様に係るＳＳＢとＣＳＳとのマッピング関係の第３の制御の一例を示す図である。
【図７】図７は、第１の態様に係るＳＳＢとＣＳＳとのマッピング関係の第４の制御の一例を示す図である。
【図８】図８は、第２の態様に係るPDCCH-ConfigCommon  IEの一例を示す図である。
【図９】図９は、第２の態様に係るPDCCH-ConfigCommon  IEの他の例を示す図である。
【図１０】図１０は、第２の態様に係るPDCCH-ConfigCommon  IEの他の例を示す図である。
【図１１】図１１は、本実施の形態に係る無線通信システムの概略構成の一例を示す図である。
【図１２】図１２は、本実施の形態に係る無線基地局の全体構成の一例を示す図である。
【図１３】図１３は、本実施の形態に係る無線基地局の機能構成の一例を示す図である。
【図１４】図１４は、本実施の形態に係るユーザ端末の全体構成の一例を示す図である。
【図１５】図１５は、本実施の形態に係るユーザ端末の機能構成の一例を示す図である。
【図１６】図１６は、本実施の形態に係る無線基地局及びユーザ端末のハードウェア構成の一例を示す図である。
【発明を実施するための形態】
【００１３】
将来の無線通信システム（例えば、ＮＲ、５Ｇ、５Ｇ＋、Ｒｅｌ．１５以降）においては、物理レイヤの制御信号（例えば、下り制御情報（ＤＣＩ：Downlink  Control  Information））を、無線基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）からユーザ端末に対して送信するために、制御リソースセット（ＣＯＲＥＳＥＴ：COntrol  REsource  SET）が利用されることが検討されている。
【００１４】
ＣＯＲＥＳＥＴは、下り制御チャネル（例えば、ＰＤＣＣＨ（Physical  Downlink  Control  Channel））の割当て候補領域である。ＣＯＲＥＳＥＴは、所定の周波数領域リソースと時間領域リソース（例えば１又は２ＯＦＤＭシンボルなど）を含んで構成されてもよい。ＰＤＣＣＨ（又はＤＣＩ）は、ＣＯＲＥＳＥＴ内の所定のリソース単位にマッピングされる。
【００１５】
当該所定のリソース単位は、例えば、制御チャネル要素（ＣＣＥ：Control  Channel  Element）、一以上のＣＣＥを含むＣＣＥグループ、一以上のリソース要素（ＲＥ：Resource  Element）を含むリソース要素グループ（ＲＥＧ：Resource  Element  Group）、一以上のＲＥＧバンドル（ＲＥＧグループ）、物理リソースブロック（ＰＲＢ：Physical  Resource  Block）の少なくとも一つであればよい。
【００１６】
ユーザ端末は、ＣＯＲＥＳＥＴ内のサーチスペース（ＳＳ）を監視（monitor）（ブラインド復号）して当該ユーザ端末に対するＤＣＩを検出する。当該サーチスペースには、一以上のユーザ端末に共通の（セル固有の）ＤＣＩの監視に用いられるサーチスペース（共通サーチスペース（ＣＳＳ：Common  Search  Space））と、ユーザ端末固有のＤＣＩの監視に用いられるサーチスペース（ユーザ固有サーチスペース（ＵＳＳ：User-specific  Search  Space））とが含まれてもよい。ＣＳＳには、以下の（１）〜（４）の少なくとも一つが含まれてもよい。
【００１７】
（１）ＳＩＢ１用のサーチスペース（タイプ０−ＰＤＣＣＨ用ＣＳＳ（Type0-PDCCH  CSS）、ＳＩＢ１用ＳＳ、ＲＭＳＩ（Remaining  Minimum  System  Informatio）用ＳＳ等ともいう）。ＳＩＢ１用ＳＳは、所定の識別子（例えば、ＳＩ−ＲＮＴＩ：System  Information−Radio  Network  Temporary  Identifier）でスクランブルされる巡回冗長検査（ＣＲＣ：Cyclic  Redundancy  Check）ビットが付加される（含まれる）ＤＣＩ用のサーチスペース（ＳＩＢ１を伝送するＰＤＳＣＨをスケジューリングするＤＣＩのモニタリング用のサーチスペース）であってもよい。
【００１８】
（２）ＯＳＩ（Other  System  Information）用のサーチスペース（タイプ０Ａ−ＰＤＣＣＨ用ＣＳＳ（Type0A-PDCCH  CSS）、ＯＳＩ用ＳＳ等ともいう）。ＯＳＩ用ＳＳは、所定の識別子（例えば、ＳＩ−ＲＮＴＩ）でスクランブルされるＣＲＣビットが付加される（含まれる）ＤＣＩ用のサーチスペース（ＯＳＩを伝送するＰＤＳＣＨをスケジューリングするＤＣＩのモニタリング用のサーチスペース）であってもよい。
【００１９】
（３）ランダムアクセス（ＲＡ）用のサーチスペース（タイプ１−ＰＤＣＣＨ用ＣＳＳ（Type1-PDCCH  CSS）、ＲＡ用ＳＳ等ともいう）。ＲＡ用ＳＳは、所定の識別子（例えば、ＲＡ−ＲＮＴＩ：Random  Access−Radio  Network  Temporary  Identifier、ＴＣ−ＲＮＴＩ：Temporary  Cell−Radio  Network  Temporary  Identifier又はＣ−ＲＮＴＩ：Cell―Radio  Network  Temporary  Identifier）でスクランブルされるＣＲＣビットが付加される（含まれる）ＤＣＩ用のサーチスペース（ＲＡ手順用のメッセージ（例えば、ランダムアクセス応答（メッセージ２）、衝突解決用メッセージ（メッセージ４））を伝送するＰＤＳＣＨをスケジューリングするＤＣＩのモニタリング用のサーチスペース）であってもよい。
【００２０】
（４）ページング用のサーチスペース（タイプ２−ＰＤＣＣＨ用ＣＳＳ（Type2-PDCCH  CSS）、ページング用ＳＳ等ともいう）。ページング用ＳＳは、所定の識別子（例えば、Ｐ−ＲＮＴＩ：Paging−Radio  Network  Temporary  Identifier）でスクランブルされるＣＲＣビットが付加される（含まれる）ＤＣＩ用のサーチスペース（ページングを伝送するＰＤＳＣＨをスケジューリングするＤＣＩのモニタリング用のサーチスペース）であってもよい。
【００２１】
（ＭＩＢ内のインデックスに基づくＳＩＢ１用ＳＳの設定）
ユーザ端末は、初期アクセス時、ブロードキャストチャネル（ＰＢＣＨ：Physical  Broadcast  Channel）を介して送信されるＭＩＢ（Master  Information  Block）内のインデックス（pdcch-ConfigSIB1、RMSI-PDCCH-Config等ともいう）に基づいて、ＳＩＢ１用ＳＳを設定してもよい。
【００２２】
具体的には、ユーザ端末は、同期信号ブロック（ＳＳＢ：Synchronization  Signal  Block）に関連付けられるＳＩＢ１用ＳＳの時間位置（例えば、スロット及びスロット内のシンボルの少なくとも一つ）を、ＳＳＢの時間位置（インデックス又はＳＳＢインデックス等ともいう）と、上記ＭＩＢ内のpdcch-ConfigSIBに基づいて決定してもよい。ここで、ＳＳＢは、同期信号（ＳＳ：Synchronization  Signal）及びＰＢＣＨを含む信号ブロックであり、ＳＳ／ＰＢＣＨブロックなどと呼ばれてもよい。
【００２３】
当該ＳＩＢ１用ＳＳの時間位置は、ＳＩＢ１用のＰＤＣＣＨモニタリング機会（PDCCH  monitoring  occasion）、モニタリング機会、モニタリング期間等とも呼ばれる。
【００２４】
図１は、ＭＩＢ内のインデックスに基づくＳＩＢ１用ＳＳの時間位置の決定の一例を示す図である。図１に示すように、ＭＩＢには、０−２５５の値を指定可能な（すなわち、８ビットの）pdcch-ConfigSIB1が含まれてもよい。ユーザ端末は、pdcch-ConfigSIB1の最上位４ビット（ＭＳＢ：Most  Significant  bit）に基づいて、ＳＩＢ１用ＳＳのＣＯＲＥＳＥＴ用の周波数リソース（例えば、連続するリソースブロック数）及び時間リソース（例えば、連続するシンボル数）を決定してもよい。
【００２５】
また、ユーザ端末は、pdcch-ConfigSIB1の最下位４ビット（ＬＳＢ：Least  Significant  bit）に基づいて、ＳＩＢ１用ＳＳの時間位置を決定してもよい。当該ＳＩＢ１用ＳＳの時間位置は、所定のシステムフレーム番号（ＳＦＮ：System  Frame  Number）ＳＦＮｃを有するフレーム内の所定のスロットｎ０から始まる所定数のスロット（例えば、連続する２スロット）であってもよい。また、ＳＩＢ１用ＳＳの時間位置は、ＳＳＢインデックスｉに基づいて定められてもよい。
【００２６】
例えば、ＳＳＢ及びＣＯＲＥＳＥＴの多重パターン（multiplexing  pattern）１では、ＳＳＢのインデックスｉに関連付けられるＳＩＢ１用ＳＳの時間位置は、下記式１で決定されるインデックスのスロットｎ０から始まる連続する２スロットであってもよい。また、下記式１の演算結果を床関数の値が偶数であれば、当該スロットｎ０を含むフレームのＳＦＮｃは偶数であり、当該床関数の値が奇数であれば、当該スロットｎ０を含むフレームのＳＦＮｃは奇数であってもよい。
【数１】
2019215872.tif 000003
【００２７】
ここで、Ｍ及びＯは、例えば、図１に示すテーブルにおいて、pdcch-ConfigSIB1の最下位４ビットが示す値（インデックス）に関連付けられる値であってもよい。Ｏは、ＳＳＢインデックスｉに対するスロットのオフセット（グループ時間オフセット等ともいう）（の決定に用いられる値）であってもよい。Ｍは、ＳＳＢインデックスｉに対する所定の係数であってもよい。なお、図１に示すテーブルの値は例示にすぎず、これに限られない。
【００２８】
また、μは、ＣＯＲＥＳＥＴ内のＰＤＣＣＨ受信用のサブキャリア間隔に基づく値であり、例えば、μ∈｛０，１，２，３｝であってもよい。例えば、μ＝０は、サブキャリア間隔１５ｋＨｚを示し、μ＝１は、サブキャリア間隔３０ｋＨｚを示し、μ＝２は、サブキャリア間６０ｋＨｚを示し、μ＝３は、サブキャリア間隔１２０ｋＨｚを示してもよい。Ｎｆｒａｍｅ，μｓｌｏｔは、サブキャリア間隔毎のフレーム内のスロット数であってもよい。
【００２９】
また、スロットｎ内のＣＯＲＥＳＥＴの最初のシンボルのインデックス（スロットｎ０内の最初のＳＩＢ１用ＳＳのシンボル）は、例えば、図１に示すテーブルにおいて、pdcch-ConfigSIB1の最下位４ビットが示す値（インデックス）に関連付けられる値（first  symbol  indexの値）であってもよい。
【００３０】
図２Ａ及び２Ｂは、ＳＳＢに対するＳＩＢ１用ＳＳの時間位置のオフセットの一例を示す図である。図２Ａ及び２Ｂでは、ＲＭＳＩのサブキャリア間隔が１５及び３０ｋＨｚである場合において、フレーム内でサブキャリア間隔１５ｋＨｚ、３０ｋＨｚのＳＳＢ＃０〜＃７が配置されるスロットと、グループ時間オフセットとが示される。
【００３１】
例えば、図２Ａ及び２Ｂでは、ＳＳＢ＃０〜＃８が５ｍｓ周期で配置されるがＳＳＢの周期は５ｍｓに限られない。例えば、上記式１では、ＳＳＢインデックスｉに対するグループ時間オフセットは、Ｏ・２μである。図２Ａでは、サブキャリア間隔１５ｋＨｚであるので、μ＝０であり、図２Ｂでは、サブキャリア間隔１５ｋＨｚであるので、μ＝１である。上述のように、Ｏは、所定のテーブルにおいて、pdcch-ConfigSIB1の最下位４ビットが示す値（インデックス）に関連付けられる値（図１では、０、２、５又は７）である。
【００３２】
図２Ａ及び２Ｂにおいて、ＳＩＢ１用ＳＳが配置されるスロットは、上記グループ時間オフセットＯ・２μと、ＳＳＢインデックスｉ及び係数Ｍ（例えば、図１参照）の乗算結果に基づくオフセット（ｉ・Ｍ）とに基づいて決定されるスロットｎ０から始まる所定数のスロット（例えば、２スロット）であってもよい。また、当該所定数のスロット内のＳＩＢ１用ＳＳのシンボル位置は、pdcch-ConfigSIB1の最下位４ビットのインデックスに基づいて決定されてもよい。
【００３３】
なお、ＳＳＢ及びＣＯＲＥＳＥＴの多重パターン１では、ＳＩＢ１用ＳＳの周期は、２０ｍｓ固定であり、１周期内の２つの連続するスロットがＳＩＢ１用ＳＳの時間位置であってもよい。一方、ＳＳＢ及びＣＯＲＥＳＥＴの多重パターン２及び３では、ＳＩＢ１用ＳＳの周期は、ＳＳＢの周期（ＳＳＢ周期）と等しくともよい。多重パターン２及び３では、初期アクセス時には、ＳＳＢ周期を２０ｍｓと想定するため、ＳＩＢ１用ＳＳの周期は、２０ｍｓと想定されてもよい。
【００３４】
また、多重パターン２及び３では、ＳＳＢのインデックスｉに関連付けられるＳＩＢ１用ＳＳの時間位置は、pdcch-ConfigSIB1の最下位４ビットのインデックスに関連付けられるＳＦＮ、スロット番号及び最初のシンボルインデックスに基づいて決定されてもよい（図１に示されるテーブルとは異なるテーブルが用いられてもよい）。
【００３５】
ユーザ端末は、以上のように決定されるＳＩＢ１用ＳＳを監視してＤＣＩを検出し、当該ＤＣＩに基づいてＳＩＢ１を受信する。
【００３６】
（PDCCH-ConfigCommonに基づくＣＳＳの設定）
ユーザ端末は、ＰＤＣＣＨに関する設定情報（共通ＰＤＣＣＨ情報、pdcch-ConfigCommon等ともいう）に基づいて、ＳＩＢ１用ＳＳ、ＯＳＩ用ＳＳ、ページング用ＳＳ、ＲＡ用ＳＳの少なくとも一つを設定してもよい。pdcch-ConfigCommonは、ＲＲＣ（Radio  Resource  Control）シグナリングにより無線基地局からユーザ端末に通知されてもよい。
【００３７】
上述のように、ＳＩＢ１用ＳＳは、初期アクセス時は、ＭＩＢ内のpdcch-ConfigSIB1に基づいて設定される。このため、ユーザ端末は、初期アクセス時には、ＳＩＢ１に含まれるPDCCH-ConfigCommonに基づいて、ＯＳＩ用ＳＳ、ページング用ＳＳ、ＲＡ用ＳＳの少なくとも一つを設定してもよい。
【００３８】
一方、ハンドオーバ（ＨＯ）手順、及び、デュアルコネクティビティ（ＤＣ）又はキャリアアグリゲーション（ＣＡ）におけるセルの追加手順では、PDCCH-ConfigCommonは、ハンドオーバ先のセル（ターゲットセル、プライマリセル（ＰＣｅｌｌ：Primary  Cell））、ＤＣで追加されるプライマリセカンダリセル（ＰＳＣｅｌｌ：Primary  Secondary  Cell）、及び、ＤＣ又はＣＡで追加されるセカンダリセル（ＳＣｅｌｌ：Secondary  Cell）のＰＤＣＣＨに関する設定情報として用いられてもよい。この場合、ＳＩＢ１用ＳＳが、PDCCH-ConfigCommonに基づいて設定されてもよい。
【００３９】
図３は、PDCCH-ConfigCommonの一例を示す図である。図３に示すように、PDCCH-ConfigCommonは、所定数（例えば、最大２つ）のＣＯＲＥＳＥＴに関する情報（commonControlResourcesSets、commonCoReSets、共通ＣＯＲＥＳＥＴ情報等ともいう）及び所定数（例えば、最大４つ）のＣＳＳに関する情報（commonSearchSpaces、SearchSpaces、ＣＳＳ情報等ともいう）を含んでもよい。ユーザ端末は、commonControlResourcesSetsに基づいてＣＯＲＥＳＥＴを設定し、commonSearchSpacesに基づいてＣＳＳを設定してもよい。
【００４０】
また、PDCCH-ConfigCommonは、以下の少なくとも一つのサーチスペースに関する情報を含んでもよい。
・ＳＩＢ１用ＳＳに関する情報（searchSpaceSIB1、rmsi-SearchSpace、ＳＩＢ１用ＳＳ情報等ともいう）。なお、searchSpaceSIB1がPDCCH-ConfigCommonに含まれない場合は、上記の通り、ＭＩＢに基づいてＳＩＢ１用ＳＳの時間位置が決定される。
・ＯＳＩ用ＳＳに関する情報（searchSpaceOtherSystemInformation、ＯＳＩ用ＳＳ情報等ともいう）。
・ページング用ＳＳに関する情報（pagingSearchSpace、ページング用ＳＳ情報等ともいう）。
・ＲＡ用ＳＳに関する情報（ra-SearchSpace、ＲＡ用のサーチスペース情報等ともいう）。
【００４１】
searchSpaceSIB1、searchSpaceOtherSystemInformation、pagingSearchSpace及びra-SearchSpaceは、それぞれ、サーチスペースの識別子（ＩＤ、searchSpaceID））であってもよく、各searchSpaceIDによって、commonSearchSpacesで指定される最大４つのサーチスペースの一つが指定されてもよい。
【００４２】
図３に示すように、ユーザ端末は、searchSpaceSIB1、searchSpaceOtherSystemInformation、pagingSearchSpace及びra-SearchSpaceに基づいて、それぞれ、ＳＩＢ１用ＳＳ、ＯＳＩ用ＳＳ、ページング用ＳＳ、ＲＡ用ＳＳの時間位置（ＰＤＣＣＨモニタリング機会、モニタリング機会、モニタリング期間等ともいう）を決定してもよい。
【００４３】
具体的には、ユーザ端末は、searchSpaceSIB1、searchSpaceOtherSystemInformation、pagingSearchSpace及びra-SearchSpaceがそれぞれ示すサーチスペースのスロットの周期及びオフセットに関する情報（monitoringSlotPeriodicityAndOffset）、スロット内のシンボル位置に関する情報（monitoringSymbolsWithinSlot）に基づいて、ＳＩＢ１用ＳＳ、ＯＳＩ用ＳＳ、ページング用ＳＳ、ＲＡ用ＳＳの時間位置を決定してもよい。
【００４４】
例えば、図３に示されるmonitoringSlotPeriodicityAndOffsetによると、ＣＳＳ（例えば、ＳＩＢ１用ＳＳ、ＯＳＩ用ＳＳ、ページング用ＳＳ、ＲＡ用ＳＳの少なくとも一つ）が配置されるスロットは、それぞれ１スロット粒度で１、２、４、５、８、１０、１６又は２０スロット周期で設定される。また、monitoringSymbolsWithinSlotによると、当該ＳＳのスロット内のシンボル位置が１４ビットのビットマップで示される。
【００４５】
なお、searchSpaceOtherSystemInformation、pagingSearchSpace及びra-SearchSpaceがユーザ端末に通知されない場合、ユーザ端末は、ＭＩＢ内のpdcch-ConfigSIB1に基づいて設定されるＳＩＢ１用ＳＳの時間位置を、ＯＳＩ用ＳＳ、ページング用ＳＳ、ＲＡ用ＳＳの時間位置として用いてもよい。
【００４６】
以上のように、pdcch-ConfigCommonに基づいて、ＳＩＢ１用ＳＳ、ＯＳＩ用ＳＳ、ページング用ＳＳ、ＲＡ用ＳＳの少なくとも一つを設定する場合、図３に示されるmonitoringSlotPeriodicityAndOffsetによると、最大２０スロット（サブキャリア間隔１５ｋＨｚの場合２０ｍｓ）周期で、ＳＩＢ１用ＳＳ、ＯＳＩ用ＳＳ、ページング用ＳＳ、ＲＡ用ＳＳの少なくとも一つの時間位置が設定される。
【００４７】
一方、ＭＩＢ内のpdcch-ConfigSIB1に基づいて設定されるＳＩＢ１用ＳＳの時間位置は、ＳＳＢ周期と同一となることが想定されるため、５、１０、２０、４０、８０又は１６０ｍｓ周期となる可能性がある。このため、ＳＩＢ１用ＳＳの周期は、サブキャリア間隔１５ｋＨｚ（μ＝０）の場合は５、１０、２０、４０、８０又は１６０スロット周期、サブキャリア間隔３０ｋＨｚ（μ＝１）の場合は１０、２０、４０、８０、１６０又は３２０スロット周期、サブキャリア間隔６０ｋＨｚ（μ＝２）の場合は２０、４０、８０、１６０、３２０又は６４０スロット周期、サブキャリア間隔１２０ｋＨｚ（μ＝３）の場合は４０、８０、１６０、３２０、６４０又は１２８０スロット周期となることが想定される。
【００４８】
したがって、pdcch-ConfigCommonに基づいてＣＳＳ（例えば、ＳＩＢ１用ＳＳ、ＯＳＩ用ＳＳ、ページング用ＳＳ、ＲＡ用ＳＳの少なくとも一つ）の周期を設定する場合、ＭＩＢ内のpdcch-ConfigSIB1に基づいて設定可能な周期（例えば、４０、８０、１６０、３２０、６４０及び１２８０スロット周期の少なくとも一つ）を設定できない恐れがある。また、ＭＩＢ内のpdcch-ConfigSIB1に基づいて設定可能なオフセット（例えば、グループ時間オフセット（Ｏ・２μ）及びＳＳＢに基づくオフセット（ｉ・Ｍ））を設定できない恐れもある。
【００４９】
このように、PDCCH-ConfigCommonに基づいて設定されるＣＳＳについては、ＭＩＢ内のpdcch-ConfigSIB1に基づいて設定可能なＳＩＢ１用ＳＳのパターン（例えば、周期、オフセット及びタイミングの少なくとも一つ）をサポートできない恐れがある。この結果、ユーザ端末が、当該ＣＳＳにおけるＤＣＩの監視を適切に行うことができない恐れがある。
【００５０】
そこで、本発明者らは、PDCCH-ConfigCommon内で参照される情報項目（IE）の一つであるSearchSpace  IEに変更を加える（第１の態様）又は当該SearchSpace  IEを変更せずにPDCCH-ConfigCommonに変更を加える（第２の態様）ことで、PDCCH-ConfigCommonに基づいて設定されるＣＳＳについても、ＭＩＢ内のpdcch-ConfigSIB1に基づいて設定されるＳＩＢ１用ＳＳのパターンをサポートすることを着想した。
【００５１】
以下、本実施の形態について、図面を参照して詳細に説明する。本実施の形態において、ユーザ端末は、ＭＩＢ内のpdcch-ConfigSIB1（インデックス）に基づいて設定されるＳＩＢ１用ＳＳの周期を少なくとも設定可能に構成される、ＣＳＳに関する情報を受信する。ユーザ端末は、当該ＣＳＳに関する情報に基づいて設定されるＣＳＳにおけるＤＣＩの監視を制御する。
【００５２】
ここで、ＣＳＳに関する情報は、PDCCH-ConfigCommonで参照されるSearchSpace  IE（又は当該SearchSpace IE内のmonitoringSlotPeriodicityAndOffset）であってもよい（第１の態様）。また、ＣＳＳに関する情報は、PDCCH-ConfigCommon内のsearchSpaceSIB1、searchSpaceOtherSystemInformation、pagingSearchSpace及びra-SearchSpaceの少なくとも一つであってもよい（第２の態様）。なお、後述するように、第１の態様及び第２の態様は単独で用いられてもよいし、組み合わせられてもよい。
【００５３】
（第１の態様）
第１の態様では、PDCCH-ConfigCommon内で参照されるSearchSpace IE がＭＩＢ内のpdcch-ConfigSIB1に基づいて設定可能な全ての周期に合わせて拡張される。
【００５４】
図４は、第１の態様に係るSearchSpace  IEの一例を示す図である。図４に示すように、SearchSpace  IE内のmonitoringSlotPeriodicityAndOffsetの設定値として、４０、８０．１６０、３２０、６４０及び１２８０スロット周期が追加されてもよい。また、図４のmonitoringSlotPeriodicityAndOffsetでは、４０、８０．１６０、３２０、６４０及び１２８０スロット周期それぞれのオフセット値の範囲が０…３９、０…７９、０…１５９、０…３１９、０…６３９、０…１２７９と定められる。このため、それぞれのスロット周期で１スロット単位のオフセットが設定可能となる。
【００５５】
図４に示すように、SearchSpace  IE内のmonitoringSlotPeriodicityAndOffsetで設定可能な値を拡張することにより、pdcch-ConfigCommonに基づいてＣＳＳ（例えば、ＳＩＢ１用ＳＳ、ＯＳＩ用ＳＳ、ページング用ＳＳ、ＲＡ用ＳＳの少なくとも一つ）の周期を設定する場合でも、ＭＩＢ内のpdcch-ConfigSIB1に基づいて設定可能な周期（例えば、４０、８０、１６０、３２０、６４０及び１２８０スロット周期の少なくとも一つ）を設定可能となる。
【００５６】
＜ＳＳＢとＣＳＳとのマッピング関係＞
初期アクセス時にＭＩＢ内のpdcch-ConfigSIB1に基づいてＳＩＢ１用ＳＳを設置する場合、ＳＳＢ及びＣＯＲＥＳＥＴの多重パターン１では、上述のように、ＳＩＢ１用ＳＳの時間位置（例えば、スロットｎ０）は、pdcch-ConfigSIB1の最下位４ビットが示すＯ及びＭに基づくオフセット（例えば、グループ時間オフセットＯ・２μ及びＳＳＢインデックスｉ及び係数Ｍの乗算結果に基づくオフセット（ｉ・Ｍ））に基づいて決定される（図１及び２参照）。
【００５７】
また、ＳＳＢ及びＣＯＲＥＳＥＴの多重パターン２又は３では、ＳＩＢ１用ＳＳの時間位置（例えば、ＳＦＮのインデックスＳＦＮｃ及びスロットのインデックスｎｃ）は、ＳＳＢインデックスｉが配置されるＳＦＮのインデックス（ＳＦＮＳＳＢ，ｉ）及びスロットのインデックス（ｎＳＳＢ，ｉ）に基づいて決定される。
【００５８】
このように、ＭＩＢ内のpdcch-ConfigSIB1に基づいてＳＩＢ１用ＳＳを設置する場合、pdcch-ConfigSIB1に基づいて、ＳＳＢとＳＩＢ１用ＳＳとの間のマッピング関係が通知される。一方、第１の態様において、pdcch-ConfigCommonに基づいてＣＳＳ（例えば、ＳＩＢ１用ＳＳ、ＯＳＩ用ＳＳ、ページング用ＳＳ、ＲＡ用ＳＳの少なくとも一つ）の時間位置（例えば、周期及びスロットのオフセットの少なくとも一つ）を設定する場合、ＳＳＢと当該ＣＳＳとのマッピング関係をどのように通知するかが問題となる。
【００５９】
そこで、以下の第１〜第４の制御により、pdcch-ConfigCommonに基づいてＣＳＳが設定される場合におけるＳＳＢとＣＳＳとのマッピング関係が制御されてもよい。
【００６０】
≪第１の制御≫
第１の制御では、ＳＳＢとＣＳＳとのマッピング関係はユーザ端末に通知されなくともよい。ユーザ端末は、SearchSpace  IE内のmonitoringSlotPeriodicityAndOffsetで設定される周期で、ＣＳＳ（例えば、ＳＩＢ１用ＳＳ、ＯＳＩ用ＳＳ、ページング用ＳＳ、ＲＡ用ＳＳの少なくとも一つ）を設定し、設定されたＣＳＳで当該ユーザ端末が検出したＳＳＢのビーム（ＳＳＢインデックス）に対応する受信ビームを用いて、当該ＣＳＳの監視（ブラインド復号、ブラインド検出）を行ってもよい。
【００６１】
図５Ａは、第１の態様に係るＳＳＢとＣＳＳとのマッピング関係の第１の制御の一例を示す図である。例えば、図５Ａでは、ユーザ端末は、PDCCH-ConfigCommon内のsearchSpaceSIB1、searchSpaceOtherSystemInformation、pagingSearchSpace及びra-SearchSpaceがそれぞれ示すSearchSpace  IE内のmonitoringSlotPeriodicityAndOffsetで設定される周期（ここでは、２スロット周期）でＣＳＳ（例えば、ＳＩＢ１用ＳＳ、ＯＳＩ用ＳＳ、ページング用ＳＳ、ＲＡ用ＳＳの少なくとも一つ）を監視する。
【００６２】
図５Ａにおいて、無線基地局は、設定された周期（ここでは、２スロット周期）のＣＳＳ内であれば、どのビーム（ＳＳＢインデックス、送信構成識別子（ＴＣＩ：Transmission  Configuration  Indicator）の状態（ＴＣＩ状態）等ともいう）を用いてＤＣＩを送信してもよい。ユーザ端末は、設定された周期（ここでは、２スロット周期）のＣＳＳを（ビーム（ＳＳＢインデックス）に関係なく）監視し、検出されたビーム（ＳＳＢインデックス）に基づいて当該ＣＳＳ内で送信されるＤＣＩを検出してもよい。
【００６３】
第１の制御では、無線基地局は、どのビームに対応するＣＳＳでＤＣＩを送信してもよいので、ＤＣＩの送信機会を増加させることができ、遅延を防止できる。
【００６４】
≪第２の制御≫
第２の制御では、ＳＳＢとＣＳＳとのマッピング関係は黙示的にユーザ端末に通知されてもよい。ユーザ端末は、黙示的な通知情報に基づいて、SearchSpace  IE内のmonitoringSlotPeriodicityAndOffsetが示す周期で設定されるＣＳＳ（例えば、ＳＩＢ１用ＳＳ、ＯＳＩ用ＳＳ、ページング用ＳＳ、ＲＡ用ＳＳの少なくとも一つ）の中で、どのＳＳＢ（ＳＳＢインデックス）に対応するＣＳＳを監視するかを決定してもよい。
【００６５】
ここで、黙示的な通知情報は、例えば、一以上のＳＳＢを含むセット（ＳＳバーストセット）内で送信されるＳＳＢの時間位置（ＳＳＢインデックス）を示す情報（ssb-PositionsInBurst）であってもよい。
【００６６】
具体的には、ユーザ端末は、SearchSpace  IE内のmonitoringSlotPeriodicityAndOffsetにより設定される周期の各ＣＳＳについて、上記ssb-PositionsInBurstに基づいて、ＳＳＢインデックスを紐付け（関連付け）てもよい。ユーザ端末は、全ＳＳＢインデックス（実際に送信されるＳＳＢインデックスでもよい）のＳＳＢ（ビーム）の少なくとも一つを検出し、検出されたＳＳＢに対応するＣＳＳを監視してもよい。
【００６７】
図５Ｂは、第１の態様に係るＳＳＢとＣＳＳとのマッピング関係の第２の制御の一例を示す図である。例えば、図５Ｂでは、SearchSpace  IE内のmonitoringSlotPeriodicityAndOffsetにより２スロット周期でＣＳＳが設定されるものとする。また、図５Ｂでは、２スロット周期のＣＳＳ毎に単一のＳＳＢインデックス（例えば、ＳＳＢインデックス＃０〜＃３のいずれか）が関連付けられる。
【００６８】
例えば、図５Ｂでは、ユーザ端末は、ＳＳＢインデックス＃０〜＃３のＳＳＢ（ビーム）の中でＳＳＢインデックス＃０のＳＳＢ（ビーム）を検出する。このため、図５Ｂでは、ユーザ端末は、ＳＳＢインデックス＃０に関連付けられるＣＳＳ（ここでは、８ｍｓ周期で）を監視する。
【００６９】
図５Ｂにおいて、無線基地局は、２スロット周期のＣＳＳのうち、特定のＳＳＢインデックス（ここでは、ＳＳＢインデックス＃０）に関連付けられるＣＳＳでＤＣＩを送信してもよい。なお、当該特定のＳＳＢインデックス（ＴＣＩ状態等ともいう）は、例えば、ユーザ端末によって検出されるＳＳＢインデックスであり、当該ＳＳＢインデックスは、ユーザ端末から無線基地局に報告されてもよい。
【００７０】
図５Ｃは、第１の態様に係るＳＳＢとＣＳＳとのマッピング関係の第２の制御の他の例を示す図である。上記図５Ｂでは、２スロット周期のＣＳＳに単一のＳＳＢインデックスが関連付けられるが、図５Ｃでは、当該２スロット周期のＣＳＳに複数のＳＳＢインデックスが関連付けられる点で図５Ｂと異なる。
【００７１】
例えば、図５Ｃでは、２スロット周期のＣＳＳに、ＳＳＢインデックス＃０及び＃１、又は、ＳＳＢインデックス＃２及び＃３が関連付けられる。図５Ｃでは、ユーザ端末は、ＳＳＢインデックス＃０〜＃３のＳＳＢ（ビーム）の中でＳＳＢインデックス＃０のＳＳＢ（ビーム）を検出する。このため、図５Ｃでは、ユーザ端末は、ＳＳＢインデックス＃０及び＃１に関連付けられるＣＳＳ（ここでは、４ｍｓ周期で）を監視する。
【００７２】
図５Ｃにおいて、無線基地局は、２スロット周期のＣＳＳのうち、特定のＳＳＢインデックス（ここでは、ＳＳＢインデックス＃０及び＃１）に関連付けられるＣＳＳでＤＣＩを送信してもよい。
【００７３】
第２の制御では、ユーザ端末は、黙示的な通知情報に基づいて決定される特定のビーム（ＳＳＢインデックス）に対応するＣＳＳでのみＤＣＩを監視すればよい。このため、ユーザ端末は、第１の制御のようにSearchSpace  IE内のmonitoringSlotPeriodicityAndOffsetにより設定される周期の全ＣＳＳを監視する必要がなく、ＣＳＳの監視負荷を軽減できる。
【００７４】
≪第３の制御≫
第３の制御では、ＳＳＢとＣＳＳとのマッピング関係は明示的にユーザ端末に通知されてもよい。ユーザ端末は、明示的な通知情報に基づいて、SearchSpace  IE内のmonitoringSlotPeriodicityAndOffsetが示す周期で設定されるＣＳＳ（例えば、ＳＩＢ１用ＳＳ、ＯＳＩ用ＳＳ、ページング用ＳＳ、ＲＡ用ＳＳの少なくとも一つ）の中で、どのＳＳＢ（ＳＳＢインデックス）に対応するＣＳＳを監視するかを決定してもよい。
【００７５】
ここで、明示的な通知情報は、例えば、ＣＳＳに関連付けられる送信構成識別子（ＴＣＩ：Transmission  Configuration  Indicator）の状態（ＴＣＩ状態）又はＳＳＢインデックスを示す情報であってもよい。当該情報は、例えば、SearchSpace  IE内で新たなに追加されてもよいし、pdcch-ConfigCommon内の情報項目（commonControlResourcesSets）で指定されるＣＯＲＥＳＥＴに関連付けられるＴＣＩ状態を示す情報（例えば、SearchSpace  IE内のtci-StatesPDCCH）であってもよい。
【００７６】
具体的には、ユーザ端末は、SearchSpace  IE内のmonitoringSlotPeriodicityAndOffsetにより設定される周期のＣＳＳについて、上記明示的な通知情報に基づいて、ＳＳＢインデックスを紐付け（関連付け）てもよい。ユーザ端末は、全ＳＳＢインデックス（実際に送信されるＳＳＢインデックスでもよい）のＳＳＢ（ビーム）の少なくとも一つを検出し、検出されたＳＳＢに対応するＣＳＳを監視してもよい。
【００７７】
図６は、第１の態様に係るＳＳＢとＣＳＳとのマッピング関係の第３の制御の一例を示す図である。例えば、図６では、SearchSpace  IE内のmonitoringSlotPeriodicityAndOffsetにより、２スロット周期でＳＩＢ１用ＳＳが設定され、４スロット周期でＯＳＩ用ＳＳ、ページング用ＳＳ、ＲＡ用ＳＳが設定されるものとする。
【００７８】
図６に示すように、２スロット周期の各ＳＩＢ１用ＳＳには、ＳＳＢインデックス＃０〜＃３のいずれかが関連付けられてもよい。また、４スロット周期の各ＯＳＩ用ＳＳにも、ＳＳＢインデックス＃０〜＃３のいずれかが関連付けられてもよい。ページング用ＳＳ、ＲＡ用ＳＳについても同様である。
【００７９】
例えば、図６では、ユーザ端末は、ＳＳＢインデックス＃０〜＃３のＳＳＢ（ビーム）の中でＳＳＢインデックス＃０のＳＳＢ（ビーム）を検出する。このため、図６では、ユーザ端末は、ＳＳＢインデックス＃０に関連付けられるＳＩＢ１用ＳＳ（ここでは、４ｍｓ周期で）を監視する。無線基地局は、２スロット周期のＳＩＢ１用ＳＳのうち、特定のＳＳＢインデックス（ここでは、ＳＳＢインデックス＃０）に関連付けられるＣＳＳでＤＣＩを送信してもよい。
【００８０】
また、ユーザ端末は、ＳＳＢインデックス＃０に関連付けられるＯＳＩ用ＳＳ、ページング用ＳＳ、ＲＡ用ＳＳ（ここでは、１６ｍｓ周期で）を監視する。無線基地局は、特定のＳＳＢインデックス（ここでは、ＳＳＢインデックス＃０）に関連付けられるＯＳＩ用ＳＳ、ページング用ＳＳ、ＲＡ用ＳＳでそれぞれＤＣＩを送信してもよい。
【００８１】
≪第４の制御≫
第４の制御では、第１〜第３の制御の少なくとも２つの組み合わせについて説明する。第４の制御では、少なくとも２つの異なるタイプのＣＳＳに対して、ＳＳＢとＣＳＳとのマッピング関係についての異なる制御が適用されてもよい。ここで、異なるタイプのＣＳＳには、ＳＩＢ１用ＳＳ、ＯＳＩ用ＳＳ、ページング用ＳＳ及びＲＡ用ＳＳの少なくとも２つが含まれてもよい。
【００８２】
具体的には、ＤＣＩが全ビーム（ＳＳＢインデックス、ＴＣＩ状態等ともいう）で送信されるか否かに基づいて、ＳＳＢとＣＳＳとのマッピング関係の制御方法が変更されてもよい。
【００８３】
例えば、ＤＣＩが全ビームで送信されない場合、上記第１の制御により、ユーザ端末は、SearchSpace  IE内のmonitoringSlotPeriodicityAndOffsetが示す周期で設定されるＣＳＳの全てを監視してもよい。一方、ＤＣＩが全ビームで送信される場合、上記第２又は第３の制御により、ユーザ端末は、上記周期で設定されるＣＳＳのうち、特定のＳＳＢインデックスに関連付けられるＣＳＳだけを監視してもよい。
【００８４】
図７は、第１の態様に係るＳＳＢとＣＳＳとのマッピング関係の第４の制御の一例を示す図である。なお、図７では、ＲＡ用ＳＳに第１の制御が適用され、ページング用ＳＳ、ＯＳＩ用ＳＳ及びＳＩＢ１用ＳＳに第３の制御が適用される場合が示される。なお、図７は、例示にすぎず、第１〜第３の制御の少なくとも２つがそれぞれ異なるＣＳＳに適用されればよい。
【００８５】
図７に示すように、ユーザ端末が、monitoringSlotPeriodicityAndOffsetが示す周期で設定されるＲＡ用ＳＳを全て監視する場合、無線基地局は、ＲＡ手順のメッセージを伝送するＰＤＳＣＨをスケジューリングするＤＣＩをどのビーム（ＳＳＢインデックス、ＴＣＩ状態）で送信してもよい。このため、ＲＡ手順のメッセージに所定の送信ウィンドウが設けられる場合でも、当該メッセージの送信遅延を防止できる。
【００８６】
一方、ＳＩＢ１、ＯＳＩ、ページングを伝送するＰＤＳＣＨをスケジューリングするＤＣＩは全ビームで送信される。このため、ユーザ端末は、特定のビーム（ＳＳＢインデックス、ＴＣＩ状態）（例えば、図７では、ＳＳＢインデックス＃０）に関連付けられるＳＩＢ１用ＳＳ、ＯＳＩ用ＳＳ、ページング用ＳＳを監視してもよい。これにより、ユーザ端末における当該ＤＣＩの監視負荷を軽減できる。
【００８７】
＜ＣＳＳが設定されるスロット数の制御＞
初期アクセス時にＭＩＢ内のpdcch-ConfigSIB1に基づいてＳＩＢ１用ＳＳを設置する場合、ＳＳＢ及びＣＯＲＥＳＥＴの多重パターン１では、ＳＩＢ１用ＳＳの時間位置（モニタリング機会）が所定周期の連続する２スロットに設定される。一方、ＳＳＢ及びＣＯＲＥＳＥＴの多重パターン２及び３では、ＳＩＢ１用ＳＳの時間位置（モニタリング機会）が所定周期の連続する１スロットに設定される。
【００８８】
このように、ＭＩＢ内のpdcch-ConfigSIB1に基づいてＳＩＢ１用ＳＳを設置する場合、ＳＩＢ１用ＳＳが所定周期の連続する複数のスロットに設定されるか否かは、ＳＳＢとＣＯＲＥＳＥＴの多重パターンによって制御される。
【００８９】
一方、第１の態様において、pdcch-ConfigCommonに基づいてＣＳＳ（例えば、ＳＩＢ１用ＳＳ、ＯＳＩ用ＳＳ、ページング用ＳＳ、ＲＡ用ＳＳの少なくとも一つ）の周期を設定する場合、明示的又は黙示的に、ＣＳＳが所定周期の連続する複数のスロット（例えば、２スロット）に設定されるか否かが制御されてもよい。
【００９０】
例えば、pdcch-ConfigCommonには、ＳＳＢとＣＯＲＥＳＥＴの多重パターンに関する情報（多重パターン情報）が追加されてもよい。当該多重パターン情報は、ＳＳＢのＣＯＲＥＳＥＴの多重パターンが１であるか否か（１であるか、又は、２又は３のいずれかであるか）を示す１ビットの値であってもよい。
【００９１】
多重パターン情報が多重パターン１を示す場合、ユーザ端末は、monitoringSlotPeriodicityAndOffsetが示す所定周期及びオフセットのＣＳＳを、連続する複数のスロット（例えば、２スロット）に設定してもよい。一方、多重パターン情報が多重パターン１を示さない（多重パターン２又は３を示す）場合、ユーザ端末は、monitoringSlotPeriodicityAndOffsetが示す所定周期及びオフセットのＣＳＳを、単一のスロットに設定してもよい。
【００９２】
このように、ユーザ端末は、ＳＳＢとＣＯＲＥＳＥＴの多重パターンに基づいて、pdcch-ConfigCommonに基づいて設定されるＣＳＳの連続するスロット数を制御してもよい。
【００９３】
また、黙示的にＣＳＳが所定周期の連続する複数のスロットに設定されるか否か（多重パターン）を判断する場合、ユーザ端末は、ＣＯＲＥＳＥＴが設定される周波数リソースとＳＳＢの周波数リソースとの位置関係に基づいて、上記判断を行ってもよい。具体的には、第1の態様では、ＣＯＲＥＳＥＴの設定情報（例えば、周波数位置及び帯域幅（FrequencyDomainResources））は、pdcch-ConfigCommon内のControlResourceSet  IEでに含まれてもよい。この場合、ＳＳＢの周波数リソースが、上記ＣＯＲＥＳＥＴに設定される帯域幅に含まれる位置である場合、多重パターン１（すなわち、２スロット連続のモニタリング）と判断し、上記ＣＯＲＥＳＥＴに設定される帯域幅に含まれる位置でない場合、多重パターン２又は３（すなわち、１スロットの周期的なモニタリング）と判断してもよい。
【００９４】
なお、ユーザ端末は、連続する複数のスロットにＣＳＳを設定する場合、当該複数のスロットの各々において、SearchSpace  IE内のmonitoringSymbolsWithinSlotで通知されるシンボルにＣＳＳを設定してもよい。
【００９５】
以上のように、第１の態様では、SearchSpace  IE内のmonitoringSlotPeriodicityAndOffsetで設定可能な値がＭＩＢ内のpdcch-ConfigSIB1に基づいて設定可能な周期に合わせて拡張されるので、pdcch-ConfigCommonに基づいてＣＳＳ（例えば、ＳＩＢ１用ＳＳ、ＯＳＩ用ＳＳ、ページング用ＳＳ、ＲＡ用ＳＳの少なくとも一つ）の周期を設定する場合でも、ＭＩＢ内のpdcch-ConfigSIB1に基づいて設定可能な周期（例えば、４０、８０、１６０、３２０、６４０及び１２８０スロット周期の少なくとも一つ）を設定できる。
【００９６】
（第２の態様）
第２の態様では、ＳＩＢ１用ＳＳ、ＯＳＩ用ＳＳ、ページング用ＳＳ、ＲＡ用ＳＳの少なくとも一つが、上記monitoringSlotPeriodicityAndOffsetを含むSearchSpace  IEとは異なるパラメータ（例えば、pdcch-ConfigSIB1の少なくとも一部のビット）に基づいて設定されてもよい。
【００９７】
図８は、第２の態様に係るPDCCH-ConfigCommon  IEの一例を示す図である。図８では、ＳＩＢ１用ＳＳが、ＭＩＢ内のpdcch-ConfigSIB1と同一ビット数のインデックスに基づいて設定される。図８に示すように、PDCCH-ConfigCommon内のsearchSpaceSIB1は、ＭＩＢ内のpdcch-ConfigSIB1（図１参照）と同様に、所定のビット数（例えば、８ビット）で表現される整数値（例えば、０〜２５５）として規定されてもよい。
【００９８】
図８に示すように、ユーザ端末は、searchSpaceSIB1が示すインデックスに基づいて決定されるグループ時間オフセットＯ・２μと、ＳＳＢインデックスｉ及び係数Ｍ（例えば、図１参照）の乗算結果に基づくオフセット（ｉ・Ｍ）とに基づいて決定されるスロットｎ０から始まる所定数のスロット（例えば、２スロット）にＳＩＢ１用ＳＳを設定してもよい。
【００９９】
また、図８において、ユーザ端末は、当該ＳＩＢ１用ＳＳの周期を、ＳＳＢの周期と等しく設定してもよい。或いは、当該ＳＩＢ１用ＳＳの周期を示す情報（ＳＩＢ１用ＳＳ周期情報）がユーザ端末に別途通知されてもよい。例えば、ＳＩＢ１用ＳＳ周期情報は、PDCCH-ConfigCommon内に追加されてもよい。ＳＩＢ１用ＳＳ周期情報を追加することにより、ＳＳＢの周期とは異なる周期で、ＳＩＢ１用ＳＳを設定可能となる。
【０１００】
なお、searchSpaceSIB1が示すインデックスに関連付けられるテーブルは、図８に示すものに限られず、各パラメータの値は変更されてもよい。また、当該インデックスに、ＳＦＮ及びスロットの番号を示すＰＤＣＣＨモニタリング機会と、当該スロット内の第１のシンボルインデックスとを関連付けるテーブル（例えば、TS38.213  v15.1.0のTable  13-13,  13-14,  13-15）が用いられてもよい。
【０１０１】
一方、図８に示すように、ユーザ端末は、searchSpaceOtherSystemInformation、pagingSearchSpace及びra-SearchSpaceがそれぞれ示すSearchSpace  IEに基づいて、ＯＳＩ用ＳＳ、ページング用ＳＳ、ＲＡ用ＳＳを設定してもよい。図８では、SearchSpace  IEを用いて設定されるＣＳＳは、ＯＳＩ用ＳＳ、ページング用ＳＳ、ＲＡ用ＳＳの最大３つであるので、PDCCH-ConfigCommon内のcommonSearchSpaces IEに含まれるSearchSpace  IEの最大数は、３に変更されてもよい（図４参照）。
【０１０２】
また、図８において、PDCCH-ConfigCommon内のcommonControlResourcesSets  IEが２つのＣＯＲＥＳＥＴを示す場合、一方のＣＯＲＥＳＥＴにＯＳＩ用ＳＳ、ページング用ＳＳが含まれ、他方のＣＯＲＥＳＥＴにＲＡ用ＳＳが含まれるものとしてもよい。
【０１０３】
図８では、ＳＩＢ１用ＳＳの設定に用いられるPDCCH-ConfigCommon内のsearchSpaceSIB1が、ＭＩＢ内のpdcch-ConfigSIB1と同様に規定されるので、pdcch-ConfigCommonに基づいてＳＩＢ１用ＳＳの周期を設定する場合でも、ＭＩＢ内のpdcch-ConfigSIB1に基づいて設定可能な周期と同一の周期を設定できる。
【０１０４】
図９は、第２の態様に係るPDCCH-ConfigCommon  IEの他の例を示す図である。図９では、ＳＩＢ１用ＳＳに加えて、ＯＳＩ用ＳＳ及びページング用ＳＳが、pdcch-ConfigSIB1と同一ビット数のインデックスに基づいて設定される点で、図８と異なる。図９では、図８との相違点を中心に説明する。
【０１０５】
図９に示すように、PDCCH-ConfigCommon内のsearchSpaceSIB1、
searchSpaceOtherSystemInformation及びpagingSearchSpaceは、ＭＩＢ内のpdcch-ConfigSIB1（図１参照）と同様に、所定のビット数（例えば、８ビット）で表現される整数値（例えば、０〜２５５）として規定されてもよい。
【０１０６】
例えば、図９に示すように、PDCCH-ConfigCommon内のsearchSpaceSIB1、 searchSpaceOtherSystemInformation及びpagingSearchSpaceが８ビットの整数値として規定される場合、当該８ビットの最下位４ビットがＳＩＢ１用ＳＳ、ＯＳＩ用ＳＳ、ページング用ＳＳそれぞれの設定に用いられ、当該８ビットの最上位４ビットが、ＳＩＢ１用ＳＳ、ＯＳＩ用ＳＳ、ページング用ＳＳそれぞれのＣＯＲＥＳＥＴの設定に用いられてもよい。この場合、PDCCH-ConfigCommon内で最大２つのＣＯＲＥＳＥＴを指定するcommonControlResourcesSets  IEは不要となるため削除され、ＲＡ用ＳＳが含まれる単一のＣＯＲＥＳＥＴを示す情報（ra-CoReSet）だけがPDCCH-ConfigCommonに含まれてもよい。
【０１０７】
また、PDCCH-ConfigCommon内のＲＡ用ＳＳを示すra-SearchSpaceは、PDCCH-ConfigCommon内のcommonSearchSpacesに含まれるSearchSpace  IEの識別子（searchSpaceId）を参照する代わりに（図８参照）、SearchSpace  IEを直接参照するように変更されてもよい。この場合、PDCCH-ConfigCommon内のcommonSearchSpaces  IEは不要となるため、削除されてもよい。
【０１０８】
また、図９において、ユーザ端末は、当該ＳＩＢ１用ＳＳ、ＯＳＩ用ＳＳ、ページング用ＳＳそれぞれの周期を、ＳＳＢの周期と等しく設定してもよい。或いは、上記ＳＩＢ１用ＳＳ周期情報、ＯＳＩ用ＳＳの周期を示す情報（ＯＳＩ用ＳＳ周期情報）、ページング用ＳＳの周期を示す情報（ページング用ＳＳ周期情報）がユーザ端末に別途通知されてもよい。例えば、ＳＩＢ１用ＳＳ周期情報、ＯＳＩ用ＳＳ周期情報、ページング用ＳＳ周期情報は、PDCCH-ConfigCommon内にそれぞれ追加されてもよいし、それぞれの周期を示す単一のパラメータがPDCCH-ConfigCommon内に追加されてもよい。
【０１０９】
図１０は、第２の態様に係るPDCCH-ConfigCommon  IEの更に別の例を示す図である。図１０では、pdcch-ConfigSIB1の一部のビット（例えば、最下位４ビット）が示すインデックスに基づいて設定される点で、図８、９と異なる。図１０では、図８、９との相違点を中心に説明する。
【０１１０】
図１０に示すように、PDCCH-ConfigCommon内のsearchSpaceSIB1、 searchSpaceOtherSystemInformation及びpagingSearchSpaceは、ＭＩＢ内のpdcch-ConfigSIB1（図１参照）の一部のビット（例えば、最下位４ビット）と同様に、所定のビット数（例えば、４ビット）で表現される整数値（例えば、０〜１５）として規定されてもよい。
【０１１１】
例えば、図１０に示すように、PDCCH-ConfigCommon内のsearchSpaceSIB1、 searchSpaceOtherSystemInformation及びpagingSearchSpaceが４ビットの整数値として規定される場合、当該４ビットがＳＩＢ１用ＳＳ、ＯＳＩ用ＳＳ、ページング用ＳＳそれぞれの設定に用いられてもよい。この場合、ＳＩＢ１用ＳＳ、ＯＳＩ用ＳＳ、ページング用ＳＳそれぞれのＣＯＲＥＳＥＴは、PDCCH-ConfigCommon内で、最大２つのＣＯＲＥＳＥＴを示すcommonControlResourcesSets  IEに基づいて設定されてもよい。
【０１１２】
また、PDCCH-ConfigCommon内のＲＡ用ＳＳを示すra-SearchSpaceは、PDCCH-ConfigCommon内のcommonSearchSpacesに含まれるSearchSpace  IEの識別子（searchSpaceId）を参照する代わりに（図８参照）、SearchSpace  IEを直接参照するように変更されてもよい。この場合、PDCCH-ConfigCommon内のcommonSearchSpaces  IEは不要となるため、削除されてもよい。
【０１１３】
なお、図８−１０において、ＲＡ用ＳＳの設定には、ＭＩＢ内のpdcch-ConfigSIB1（図１参照）の少なくとも一部は用いられていないが、他のＣＳＳと同様に、ＲＡ用ＳＳが、ＭＩＢ内のpdcch-ConfigSIB1の少なくとも一部に基づいて設定されてもよい。
【０１１４】
また、図８−１０において、ＭＩＢ内のpdcch-ConfigSIB1（図１参照）の少なくとも一部に基づいてＣＳＳを設定する場合、当該ＣＳＳ（例えば、ＳＩＢ１用ＳＳ、ＯＳＩ用ＳＳ、ページング用ＳＳ、ＲＡ用ＳＳの少なくとも一つ）の周期（モニタリング周期）は、ＳＳＢの周期に基づいて設定されてもよい。
【０１１５】
例えば、ユーザ端末は、ＳＳＢの周期を示す情報（ssb-periodicityServingCell）を参照して、ssb-periodicityServingCellが示す周期（例えば、５、１０、２０、４０、８０又は１６０ｍｓのいずれか）に上記ＣＳＳの周期を設定してもよい。
【０１１６】
或いは、ユーザ端末は、ＳＳＢの周期を示す情報（ssb-periodicityServingCell）を参照して、ssb-periodicityServingCellが示す周期（例えば、５、１０、２０、４０、８０又は１６０ｍｓのいずれか）に対する比率に基づいて、上記ＣＳＳの周期を設定してもよい。ユーザ端末は、当該比率（例えば、０．２５、０．５、１、２、４又は８）を示す情報（比率情報）を無線基地局から受信してもよい。また、ユーザ端末は、ＣＳＳタイプ毎に、当該比率情報を受信してもよい。
【０１１７】
また、ユーザ端末は、ＳＳＢとＣＯＲＥＳＥＴの多重パターンに基づいて、サーチスペースに関する情報を黙示的に通知してもよい。例えば、TS38.213  v15.1.0の13章のTable 13-13,  13-14,  13-15では、多重パターン２又は３ではpdcchConfigSIB1の最下位４ビットは使っていないのと同等である。このため、多重パターン２又は３が通知される場合、前記ＭＩＢ内のインデックスと同一又は一部のビット数で構成されるインデックスの少なくとも一部を省略してもよい（例えば、図１０参照）。
【０１１８】
或いは、ＭＩＢ内のインデックスと同一又は一部のビット数で構成されるインデックスの少なくとも一部が省略される場合（例えば、図１０参照）、ユーザ端末は、多重パターン２又は３が通知されると解釈してもよい。
【０１１９】
第２の態様では、ＳＩＢ１用ＳＳ、ＯＳＩ用ＳＳ、ページング用ＳＳ、ＲＡ用ＳＳの少なくとも一つが、上記monitoringSlotPeriodicityAndOffsetを含むSearchSpace  IEとは異なるパラメータ（例えば、pdcch-ConfigSIB1の少なくとも一部のビット）に基づいて設定される。このため、pdcch-ConfigCommonに基づいてＣＳＳの周期を設定する場合でも、monitoringSlotPeriodicityAndOffsetの追加ビットを抑制しながら、ＭＩＢ内のpdcch-ConfigSIB1に基づいて設定可能な周期を設定できる。
【０１２０】
第２の態様で説明したように、searchSpaceSIB1としてpdcchConfigSIB1の少なくとも一部のビットと同一のインデックスを用いる場合、ＭＩＢ（ＰＢＣＨ）内のpdcchConfigSIB1でも同じ内容を通知していることが考えられる。このため、ハンドオーバ手順、ＰＳＣｅｌｌ及びＳＣｅｌｌの少なくとも一つの追加手順において、それぞれ、searchSpaceSIB1がpdcch-ConfigCommonで指示されなかったら、ターゲットセル及び追加セルのＭＩＢを直接読むことにより、ターゲットセル及び追加セルにおけるＣＳＳ（例えば、ＳＩＢ１用ＳＳ）の設定情報を取得できる。このことを利用し、pdcch-ConfigCommonにsearchSpaceSIB1が含まれない場合、ユーザ端末は、ターゲットセル及び追加セルのＰＢＣＨを読み、逆に含まれる場合には当該ＰＢＣＨを読まなくてもよいと、解釈してもよい。
【０１２１】
（無線通信システム）
以下、本実施の形態に係る無線通信システムの構成について説明する。この無線通信システムでは、本開示の上記各実施形態に係る無線通信方法のいずれか又はこれらの組み合わせを用いて通信が行われる。
【０１２２】
図１１は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１２３】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２４】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１２５】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１２６】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２７】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１２８】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１２９】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１３０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１３１】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１３２】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１３３】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１３４】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３５】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１３６】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１３７】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３８】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３９】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１４０】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１４１】
＜無線基地局＞
図１２は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１４２】
下りリンクによって無線基地局１０からユーザ端末２０に送信されるユーザデータは、上位局装置３０から伝送路インターフェース１０６を介してベースバンド信号処理部１０４に入力される。
【０１４３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４４】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４５】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４６】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１４７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４８】
送受信部１０３は、マスター情報ブロック（ＭＩＢ）内のインデックスに基づいて設定されるシステム情報ブロック（ＳＩＢ）１用のサーチスペースの周期を少なくとも設定可能に構成される、共通サーチスペースに関する情報を送信してもよい。
【０１４９】
図１３は、本実施の形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１５０】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１５１】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１５２】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１５３】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１５４】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１５５】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１５６】
制御部３０１は、ＣＯＲＥＳＥＴを用いてＤＣＩを送信する制御を行ってもよい。制御部３０１は、特定のサーチスペースでは、特定のＤＣＩフォーマット及び当該フォーマットに対応するＲＮＴＩを用いてＤＣＩを生成して送信する制御を行ってもよい。
【０１５７】
制御部３０１は、上記共通サーチスペースに関する情報に基づいて設定される前記共通サーチスペースにおける下り制御情報の送信を制御してもよい。
【０１５８】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１５９】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１６０】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１６１】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１６２】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１６３】
測定部３０５は、受信した信号に関する測定を実施する。測定部３０５は、本開示に係る技術分野での共通認識に基づいて説明される測定器、測定回路又は測定装置から構成することができる。
【０１６４】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１６５】
＜ユーザ端末＞
図１４は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１６７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１６８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１６９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１７０】
送受信部２０３は、マスター情報ブロック（ＭＩＢ）内のインデックスに基づいて設定されるシステム情報ブロック（ＳＩＢ）１用のサーチスペースの周期を少なくとも設定可能に構成される、共通サーチスペースに関する情報を受信してもよい。
【０１７１】
図１５は、本実施の形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１７２】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７３】
制御部４０１は、ユーザ端末２０全体の制御を実施する。制御部４０１は、本開示に係る技術分野での共通認識に基づいて説明されるコントローラ、制御回路又は制御装置から構成することができる。
【０１７４】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１７５】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１７６】
制御部４０１は、上記共通サーチスペースに関する情報に基づいて設定される前記共通サーチスペースにおける下り制御情報の監視を制御してもよい。
【０１７７】
前記共通サーチスペースに関する情報は、前記ＭＩＢ内のインデックスに基づいて設定される前記ＳＩＢ１用のサーチスペースの周期を少なくとも設定可能に構成される周期情報を含んでもよい。制御部４０１は、前記周期情報が示す周期で、前記共通サーチスペースを設定してもよい（第１の態様）。
【０１７８】
制御部４０１は、前記周期で設定される前記共通サーチスペースの全てにおいて、同期信号ブロックのインデックスに関係なく、前記下り制御情報を監視してもよい（第１の態様、第１、第４の制御）。
【０１７９】
制御部４０１は、前記周期で設定される前記共通サーチスペースのうち、特定の同期信号ブロックのインデックスに対応する共通サーチスペースにおいて、前記下り制御情報を監視してもよい（第１の態様、第２−第４の制御）。
【０１８０】
前記共通サーチスペースに関する情報は、前記ＭＩＢ内のインデックスと同一又は一部のビット数で構成されるインデックスであってもよい。制御部４０１は、該インデックスに基づいて設定される周期で、前記共通サーチスペースを設定してもよい（第２の態様）。
【０１８１】
前記共通サーチスペースは、ＳＩＢ（System  Information  Block）１用のサーチスペース、ＯＳＩ（Other  System  Information）用のサーチスペース、ページング用のサーチスペース、及びランダムアクセス用のサーチスペースの少なくとも一つを含んでもよい。
【０１８２】
また、制御部４０１は、無線基地局１０から通知された各種情報を受信信号処理部４０４から取得した場合、当該情報に基づいて制御に用いるパラメータを更新してもよい。
【０１８３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１８４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１８５】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１８６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１８７】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１８８】
測定部４０５は、受信した信号に関する測定を実施する。測定部４０５は、本開示に係る技術分野での共通認識に基づいて説明される測定器、測定回路又は測定装置から構成することができる。
【０１８９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１９０】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１９１】
例えば、本開示の本実施の形態における無線基地局、ユーザ端末などは、本開示の無線通信方法の処理を行うコンピュータとして機能してもよい。図１６は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１９４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１９５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９６】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１９８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２００】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０３】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０４】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２０５】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２０６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０８】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２０９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２１１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１５】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１６】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１７】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１８】
また、情報、信号などは、上位レイヤから下位レイヤ、及び／又は下位レイヤから上位レイヤへ出力され得る。情報、信号などは、複数のネットワークノードを介して入出力されてもよい。
【０２１９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２０】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２６】
本明細書において使用する「システム」及び「ネットワーク」という用語は、互換的に使用される。
【０２２７】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２２８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２２９】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２３０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２３２】
同様に、本明細書におけるユーザ端末は、無線基地局で読み替えてもよい。この場合、上述のユーザ端末２０が有する機能を無線基地局１０が有する構成としてもよい。
【０２３３】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３４】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３５】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３６】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３７】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２３８】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３９】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２４０】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２４１】
本明細書において、「ＡとＢが異なる」という用語は、「ＡとＢが互いに異なる」ことを意味してもよい。「離れる」、「結合される」などの用語も同様に解釈されてもよい。
【０２４２】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４３】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019215872.tif 000004
【図２】
2019215872.tif 000005
【図３】
2019215872.tif 000006
【図４】
2019215872.tif 000007
【図５】
2019215872.tif 000008
【図６】
2019215872.tif 000009
【図７】
2019215872.tif 000010
【図８】
2019215872.tif 000011
【図９】
2019215872.tif 000012
【図１０】
2019215872.tif 000013
【図１１】
2019215872.tif 000014
【図１２】
2019215872.tif 000015
【図１３】
2019215872.tif 000016
【図１４】
2019215872.tif 000017
【図１５】
2019215872.tif 000018
【図１６】
2019215872.tif 000019
【国際調査報告】
2019215872.tif 000020
2019215872.tif 000021
2019215872.tif 000022
2019215872.tif 000023